(57)【要約】【課題】本発明の解決しようとする課題は、先端が平坦なノズルの容器に対しても適用でき、容器に圧力がかかったり、容器を落下させたりした場合にも、内容物が漏れ出す恐れのない、ワンタッチ開封式の軟包装袋詰替え容器用口栓ならびにこれを用いた詰替え容器を提案するものである。【解決手段】注出用ノズルを備えた剛性容器に内容物を補充するために用いる詰替え容器の口栓であって、詰替え容器本体を固着するための容器本体装着部と前記剛性容器の注出用ノズルを挿入可能な筒状のスパウト部を有し、該スパウト部の詰替え容器本体側末端は、容器を密封するシールプレートによって封止されており、該シールプレートは、シールプレートの直近に設けられ、小面積の内壁接合部によってスパウト部の内壁に接合するシールプレート保護体によって詰替え容器内圧から保護されていることを特徴とする詰替え容器用口栓である。【選択図】図１
2010235151.tif 000002
【特許請求の範囲】
【請求項１】
注出用ノズルを備えた剛性容器に内容物を補充するために用いる詰替え容器の口栓であって、詰替え容器本体を固着するための容器本体装着部と前記剛性容器の注出用ノズルを挿入可能な筒状のスパウト部を有し、該スパウト部の詰替え容器本体側末端は、容器を密封するシールプレートによって封止されており、該シールプレートは、シールプレートの直近に設けられ、小面積の内壁接合部によってスパウト部の内壁に接合するシールプレート保護体によって詰替え容器内圧から保護されていることを特徴とする詰替え容器用口栓。
【請求項２】
前記スパウト部は、前記剛性容器の注出用ノズルが嵌合する断面形状を有することを特徴とする請求項１に記載の詰替え容器用口栓。
【請求項３】
前記シールプレート保護体は、細い桟を組み合わせた構造であることを特徴とする請求項１または２に記載の詰替え容器用口栓。
【請求項４】
前記筒状のスパウト部を覆うオーバーキャップを有することを特徴とする請求項１〜３のいずれか１項に記載の詰替え容器用口栓。
【請求項５】
請求項１〜４のいずれか１項に記載の口栓を用いたことを特徴とする詰替え容器。
【発明の詳細な説明】
【技術分野】
【０００１】
本発明は、液体洗剤、柔軟剤などのトイレタリー用品や、食用油、インスタントコーヒーなどの食品の詰替え容器に関し、詰替え操作の容易な、詰替え容器を実現する新規な構造の口栓ならびにこれを用いた詰替え容器に関するものである。
【背景技術】
【０００２】
液体洗剤などの容器は、洗剤を使用する時にその都度適切な量を計量して取り出す必要があるため、計量カップに注ぎやすいように、注出口にノズルを備えた剛性のあるプラスチック容器が、繰り返し使用容器として用いられている。この容器に対して、内容物を補充するための詰替え用の容器としては、軟包装フィルムからなる柔軟な容器に、注出口を形成した容器や、口栓を取付けた容器が一般的に使用されている。
【０００３】
これら繰り返し使用する剛性の容器は、もっぱら注出し易いように設計されているため、繰り返し使用する容器に対して、詰替え容器から内容物を補充する詰替え操作の利便性を考慮したものでは、必ずしもなかった。
【０００４】
繰り返し使用する容器に設けられたノズルを利用して、詰替え容器の開封を行うことができ、さらに詰替え中に、詰替え容器が自立するために、手で保持しなくてもよい詰替え容器が提案されている。この手放し詰替え容器は、繰り返し使用容器の開口部に着脱可能かつ脱落不能に連結される結合部材と、詰替え容器本体を密封する容器密封部材とを備えた詰替え容器である（特許文献１参照）。
【先行技術文献】
【特許文献】
【０００５】
【特許文献１】特開2004-99082号公報
【発明の概要】
【発明が解決しようとする課題】
【０００６】
特許文献１に記載された詰替え容器は、繰り返し使用容器と詰替え容器を結合するために、口栓部に、結合部材と容器密封部材という２つの部材を用いているため、容器のコストが高いものとならざるを得ない。また詰替え容器を、繰り返し使用容器の開口部にねじ込んで使用する構造であるため、両者の結合は確実であるが、反面、操作が面倒であるばかりでなく、口栓のコスト面においても不利であるという欠点があった。
【０００７】
一方近年、製品安全の立場から、先端のとがったノズルが敬遠されるようになり、ノズルの先端が平坦な容器が主流となってきた。平坦なノズルの先端で、詰替え容器のシールを開封しようとすると、シールの破断強度を弱く設計する必要があるが、シールの破断強度を弱くすると、詰替え容器本体が軟包装フィルムからなる柔軟な容器である場合には、詰替え容器に外部から力がかかったり、あるいは、詰替え容器を落としたりした時に、シールが破裂して内容物が漏れ出す事故が発生する可能性があることが判明した。
【０００８】
本発明の解決しようとする課題は、先端が平坦なノズルの容器に対しても適用でき、容器に圧力がかかったり、容器を落下させたりした場合にも、内容物が漏れ出す恐れのない、ワンタッチ開封式の軟包装袋詰替え容器用口栓ならびにこれを用いた詰替え容器を提案するものである。
【課題を解決するための手段】
【０００９】
上記の課題を解決するための手段として、請求項１に記載の発明は、注出用ノズルを備えた剛性容器に内容物を補充するために用いる詰替え容器の口栓であって、詰替え容器本体を固着するための容器本体装着部と前記剛性容器の注出用ノズルを挿入可能な筒状のスパウト部を有し、該スパウト部の詰替え容器本体側末端は、容器を密封するシールプレートによって封止されており、該シールプレートは、シールプレートの直近に設けられ、小面積の内壁接合部によってスパウト部の内壁に接合するシールプレート保護体によって詰替え容器内圧から保護されていることを特徴とする詰替え容器用口栓である。
【００１０】
また、請求項２に記載の発明は、前記スパウト部が、前記剛性容器の注出用ノズルが嵌合する断面形状を有することを特徴とする請求項１に記載の詰替え容器用口栓である。
【００１１】
また、請求項３に記載の発明は、前記シールプレート保護体が、細い桟を組み合わせた構造であることを特徴とする請求項１または２に記載の詰替え容器用口栓である。
【００１２】
また、請求項４に記載の発明は、前記筒状のスパウト部を覆うオーバーキャップを有することを特徴とする請求項１〜３のいずれか１項に記載の詰替え容器用口栓である。
【００１３】
また、請求項５に記載の発明は、請求項１〜４のいずれか１項に記載の口栓を用いたことを特徴とする詰替え容器である。
【発明の効果】
【００１４】
本発明に係る詰替え容器用口栓は、シールプレートの直近に、詰替え容器の内圧からシールプレートを保護するシールプレート保護体を設けたため、軟包装袋からなる詰替え容器を外部から押さえつけたり、あるいは詰替え容器を落下させたりしたことにより詰替え容器の内圧が高まった場合にも、シールプレートが破裂して内容物が漏れ出すようなことがない。
【００１５】
また、本発明に係る詰替え容器用口栓は、シールプレート保護体を小面積の内壁接合部によってスパウト部の内壁に接合する構造としたので、詰替え操作の際、繰り返し使用する剛性容器の注出用ノズルの先端によって、容易に破断するため、シールプレートの開封を阻害することがない。従って、詰替え操作に当たっては、単に詰替え容器を倒立させてスパウト部に剛性容器の注出用ノズルを挿入して押し込むだけの極めて簡単な操作によって詰替えが可能である。
【００１６】
また、シールプレート保護体は、破断したシールプレートが剛性容器の注出用ノズルに被さって塞いでしまうことを防止する効果を有する。
【００１７】
また、前記スパウト部が、前記剛性容器の注出用ノズルが嵌合する断面形状を有するものである場合には、詰替え容器が剛性容器に対して、正規の位置にセットされ、詰替え容器と剛性容器との間の隙間が最適となるように、両者の形状を調整することができるため、詰替え操作中に、内容物があふれたり、飛び出したりすることがないようにすることが可能である。
【００１８】
また、詰替え容器用口栓が、筒状のスパウト部を覆うオーバーキャップを有する場合には、スパウト部の内部にほこりが進入するのを防ぐことができる。またオーバーキャップをねじで固定するようにした場合には、使い残しを密封して安全に保存することもできる。
【００１９】
またさらに、本発明に係る詰替え容器用口栓は、詰替え容器本体を固着するための容器本体装着部と剛性容器の注出用ノズルを挿入可能な筒状のスパウト部と、スパウト部の内
壁に接合するシールプレート保護体を一体として成形可能であるから、部品点数が少なくて済み、能率良く生産することが出来る。
【図面の簡単な説明】
【００２０】
【図１】本発明に係る詰替え容器用口栓の一実施態様を示した透視説明図である。
【図２】（１）は、図１に示した詰替え容器用口栓の平面模式図、（２）は、（１）のＡＡ断面を示した断面模式図である。
【図３】図１に示した口栓を用いた、本発明に係る詰替え容器の断面模式図である。
【図４】図３に示した詰替え容器から、繰り返し使用する剛性容器への詰替え操作を示した断面説明図である。
【図５】本発明に係る詰替え容器用口栓の他の実施態様を示した平面模式図である。
【図６】本発明に係る詰替え容器用口栓の他の実施態様を示した平面模式図である。
【図７】本発明に係る詰替え容器用口栓の他の実施態様を示した平面模式図である。
【図８】本発明に係る詰替え容器用口栓の他の実施態様を示した断面模式図である。
【発明を実施するための形態】
【００２１】
図面に従って、本発明に係る詰替え容器用口栓について、詳細に説明する。
図１は、本発明に係る詰替え容器用口栓の一実施態様を示した透視説明図である。また図２（１）は、図１に示した詰替え容器用口栓の平面模式図、図２（２）は、（１）のＡＡ断面を示した断面模式図である。
【００２２】
本発明に係る口栓１は、注出用ノズルを備えた剛性容器に内容物を補充するために用いる詰替え容器の口栓であって、詰替え容器本体を固着するための容器本体装着部２と前記剛性容器の注出用ノズルを挿入可能な筒状のスパウト部３を有し、スパウト部の詰替え容器本体側末端は、容器を密封するシールプレート５によって封止されており、シールプレート５は、シールプレート５の直近に設けられ、小面積の内壁接合部７によってスパウト部の内壁に接合するシールプレート保護体６によって詰替え容器内圧から保護されていることを特徴とする。
【００２３】
容器本体装着部２は、スパウト部３の下部にあり、軟包装フィルムからなる詰替え容器本体を固着する部分である。固着方法としては、一般的には熱融着法が用いられる。容器本体装着部２は、容器本体を融着しやすいように、紡錘形としてあり、図示しないが、横方向に複数のリブを設けて、フィルムとの融着性を良くするようにしてある。
【００２４】
スパウト部３は、繰り返し使用する剛性容器の注出用ノズルに挿入可能な筒状の形状をしている。この実施態様においては、円柱状であるが、目的とする剛性容器の注出用ノズルの断面形状に合わせて、これに丁度嵌合するような形状としても良い。スパウト部３の詰替え容器本体側の末端は、容器を密封するシールプレート５によって封止されている。
【００２５】
シールプレート５は、詰替え容器を密封するものであり、繰り返し使用する剛性容器の注出用ノズルの先端によって容易に開封される必要から、破断強度の小さい、破れやすいものとする必要がある。具体的には、アルミニウム箔単体や、アルミニウム箔に熱可塑性
樹脂フィルムをラミネートした材料が好適に使用される。シールプレート５は、スパウト部３の詰替え容器本体側の末端すなわち容器本体装着部２の底面に熱融着や、接着剤によって固着される。
【００２６】
シールプレート保護体６は、シールプレート５の直近に設けられ、詰替え容器本体からシールプレート５の内面にかかる圧力からシールプレート５を保護する役割を担っている。シールプレート保護体６は、小面積の内壁接合部７によってスパウト部の内壁に接合しているので、剛性容器の注出用ノズルによって押された場合には、この内壁接合部が容易に破断して、さらにシールプレート５が破断し、詰替え容器本体が開封する。シールプレート保護体６の形状は、この実施態様においては十字形をしているが、シールプレートの保護と開封時の易開封性を満足するものであれば、特に制約はない。
【００２７】
この口栓１は、容器本体装着部２、スパウト部３、シールプレート保護体６を一体として、ポリエチレン樹脂、ポリプロピレン樹脂、ポリエステル樹脂等の熱可塑性樹脂を用いて、インジェクション成型法によって１回の成型で成形することができる。
【００２８】
図３は、図１に示した口栓を用いた、本発明に係る詰替え容器の断面模式図である。軟包装フィルムからなる詰替え容器本体４が、口栓１の容器本体装着部２の部分に融着されている。図３に示した容器は、表裏２枚の軟包装フィルムと、底面を構成する軟包装フィルムからなるいわゆるスタンディングパウチと称する容器である。口栓１は、予めシールプレート５によって封止されているので、詰替え容器本体に内容物を充填するには、詰替え容器本体４に内容物を充填した後に、口栓１を取付けるか、あるいは、口栓１を詰替え容器本体に固着する際、詰替え容器本体４の周縁シール９の一部を未シール状態としておき、この未シール部から内容物を充填した後、未シール部をシールするか、いずれかの方法が採られる。
【００２９】
詰替え容器本体４としては、特に制約されるものではないが、熱可塑性樹脂フィルムを複合した軟包装フィルムから作られた軟包装袋や、熱可塑性樹脂フィルムと紙との複合材料からなる容器などを使用することができる。これらの容器内面の熱可塑性樹脂層と容器本体装着部２とを固着することにより、容器が完成する。
【００３０】
図４は、図３に示した詰替え容器から、繰り返し使用する剛性容器への詰替え操作を示した断面説明図である。繰り返し使用する剛性容器本体１０に取付けられたノズルキャップ１１には、ノズル１２が設けられている。この容器に対して、内容物を補充するために、詰替え容器を倒立させ、ノズル１２に、詰替え容器の口栓１のスパウト部３を被せるように挿入する。図４は、詰替え容器を倒立させ、口栓１のスパウト部３に、剛性容器本体１０のノズル１２を挿入し、ノズル先端１３によってシールプレート保護体６とシールプレート５を破断した状態を示したものである。これにより、内容物は、内容物流入方向を示した矢印１４の方向に落下し、剛性容器本体１０に移動する。この時、シールプレート保護体６は、内壁接合部７の全てが一度に破断することはなく、図のようにノズル先端１３が最初に当たった部分が破断し、反対側は破断しないでスパウト部３の内壁に付着している。このためシールプレート保護体は、シールプレート５がノズル先端１３に被さって、内容物の流路を遮断することを防ぐ効果も発揮する。
【００３１】
このように、本発明に係る詰替え容器用口栓を用いた詰替え容器は、繰り返し使用する剛性容器のノズル部分に、詰替え容器のスパウト部を挿入して押し込むだけの極めて簡単な操作によって詰替えが完了するものであり、また押し込む力も、強い力を必要としないので、誰にでも、簡単に失敗なく、詰替え操作が可能である。
【００３２】
図５は、本発明に係る詰替え容器用口栓の他の実施態様を示した平面模式図である。こ
の実施態様においては、口栓１のスパウト部３が、円柱状ではなく、楕円柱状となっている。これは、スパウト部３の断面形状を、目的とする剛性容器の注出ノズルが嵌合する断面形状としたものである。このようにすることにより、詰替え操作の際、倒立させた詰替え容器がぐらぐらせずに安定するので、詰替え操作をより円滑に安全に行うことができる。
【００３３】
図６、図７は、本発明に係る詰替え容器用口栓の他の実施態様を示した平面模式図である。図６に示した口栓１では、シールプレート保護体６の形状が正三角形を二つ組み合わせたような形になっており、図２（１）に示した実施態様において、内壁接合部７が４箇所であったのに対して、６箇所となっている。またシールプレート５に対して、シールプレート保護体６が万遍なく配置されるため、シールプレート保護効果は、より高まっている。図７に示した口栓１では、シールプレート保護体６が格子状に配置されているので、内壁接合部７は、１２箇所と増え、また配置されるシールプレート保護体６の密度も高まっているので、シールプレート保護効果は、さらに向上するが、反面詰替え操作時における、破断しやすさは、低下するので、剛性容器のノズル先端形状との兼ね合いに注意する必要がある。
【００３４】
図８は、本発明に係る詰替え容器用口栓の他の実施態様を示した断面模式図である。この実施態様においては、口栓１のスパウト部３を覆うオーバーキャップ８が設けられている。オーバーキャップ８が存在することにより、商品の展示中等にスパウト部３の内部にほこり等が進入して、商品価値を低下させることを防止することが可能となる。またオーバーキャップをねじ込み式とした場合には、詰替え容器の内容物を使い残した場合にも再封止も可能となる。
【符号の説明】
【００３５】
１・・・口栓
２・・・容器本体装着部
３・・・スパウト部
４・・・詰替え容器本体
５・・・シールプレート
６・・・シールプレート保護体
７・・・内壁接合部
８・・・オーバーキャップ
９・・・周縁シール部
１０・・・剛性容器本体
１１・・・ノズルキャップ
１２・・・ノズル
１３・・・ノズル先端
１４・・・内容物流入方向を示した矢印
【図１】
2010235151.tif 000003
【図２】
2010235151.tif 000004
【図３】
2010235151.tif 000005
【図４】
2010235151.tif 000006
【図５】
2010235151.tif 000007
【図６】
2010235151.tif 000008
【図７】
2010235151.tif 000009
【図８】
2010235151.tif 000010